(57)【要約】【課題】開栓したキャップをペットボトルに保持させることができ、キャップを落としたりなくすようなことがなく、ペットボトルを直接手で握ることなく持ち歩くことができるボトルのキャップ装置を提供する。【解決手段】ペットボトル１の口部２の根元部分に外嵌する取付けリング１２と、ボトル１の口部２を開閉するキャップ４と、前記取付けリング１２とキャップ４を連結する可撓性の吊持部材１３とからなり、前記キャップ４と吊持部材１３が相対回転可能となるよう結合されている。【選択図】図１
2009067470.tif 000002
【特許請求の範囲】
【請求項１】
ボトルの口部根元部分に外嵌する取付けリングと、ボトルの口部を開閉するキャップと、前記取付けリングとキャップを連結する可撓性の吊持部材とからなり、前記キャップと連結部材が相対回転可能となるよう結合されているボトルのキャップ装置。
【請求項２】
ボトルの口部根元部分に外嵌する取付けリングと、ボトルのキャップに対して回転を伝えることができるように外嵌するキャップ保持部材と、前記取付けリングとキャップ保持部材を連結する可撓性の吊持部材とからなり、前記キャップ保持部材と吊持部材が相対回転可能となるよう結合されているボトルのキャップ装置。
【請求項３】
上記取付けリングが、ボトルの口部根元部分に着脱自在となるよう、ボトルの口部根元部分に外嵌する内径の合成樹脂リングを用い、この合成樹脂リングの一箇所を切離して形成されている請求項１又は２に記載のボトルのキャップ装置。
【発明の詳細な説明】
【技術分野】
【０００１】  この発明は、各種飲み物を収納したペットボトルの開栓したキャップをペットボトルに保持することができると共に、閉栓状態でペットボトルを直接握ることなく吊持できるようにしたボトルのキャップ装置に関する。
【背景技術】
【０００２】  従来、各種飲み物を収納したペットボトルの口部を密閉する開栓前のキャップ装置は、口部に螺合したキャップと口部根元側に位置する固定リング部を可破壊接続部を介して一体化し、未開栓が確認できるような構造になっており、キャップを開栓方向に回すと可破壊接続部が破壊し、ペットボトルに固定リング部を残してキャップが離れ、口部からキャップを取外すことにより飲み物を飲用できることになる。【０００３】  ところで、ペットボトルの各種飲み物を飲用する場合、全量を一気に飲み干すというよりも、適量を複数回に分けて飲むというのが一般的であり、飲み残しのある状態で口部を開栓のままにしておくと、口部によごれが生じて不衛生になると共に、ペットボトルを倒したときにこぼれて周辺を汚すことになるので、飲用後はその都度口部をキャップで閉鎖するようにしている。
【発明の開示】
【発明が解決しようとする課題】
【０００４】  しかしながら、ペットボトルの口部から取外したキャップは、ペットボトルと別体になっているので、誤って落として汚したりなくす事態が生じるだけでなく、ペットボトルを持っている手と反対側の手でキャップを保持しなくてはならず、両手が塞がるという不便がある。【０００５】  また、ペットボトルを持ち歩く場合、ペットボトルを直接手で握ることになるが、収納した飲み物が冷却されている場合、手の温もりで温度の上昇が早まるという不都合が生じ、また、飲み物が加温されている場合、同じ状態で持ち続けることができず、両手で交互に持ち替えなければならないという不便がある。【０００６】  そこで、この発明の課題は、開栓したキャップをボトルに保持させることができ、キャップを落としたりなくすようなことがなく、両手が塞がるという不便を解消できると同時に、ボトルを直接手で握ることなく持ち歩くことができるボトルのキャップ装置を提供することにある。
【課題を解決するための手段】
【０００７】  上記のような課題を解決するため、請求項１の発明は、ボトルの口部根元部分に外嵌する取付けリングと、ボトルの口部を開閉するキャップと、前記取付けリングとキャップを連結する可撓性の吊持部材とからなり、前記キャップと吊持部材が相対回転可能となるよう結合されている構成を採用したものである。【０００８】  ここで、上記吊持部材は、可撓性の合成樹脂を用いて帯状や線状に形成され、口部にキャップを螺合した状態で、キャップと取付けリングの間において外方に張り出し、指先を引掛けてボトルを吊持することができる程度の長さを有し、この吊持部材と取付けリングの結合は、吊持部材の一方端部に設けたリング部を取付けリングに通すようになっている。【０００９】  また、吊持部材とキャップの結合は、吊持部材の他方端部に設けたリング部を、キャップの上面に突設した有頭軸に強制通過させて嵌め込むことで抜け止め状に連結し、吊持部材に対してキャップを回転自在とした構造や、キャップの上部に空室を設け、この空室の上壁中央に設けた透孔に吊持部材の他方端部を差込み、吊持部材の他方端部に設けた拡径部で透孔に対して抜け止めとした構造を採用することができる。【００１０】  請求項２の発明は、ボトルの口部根元部分に外嵌する取付けリングと、ボトルのキャップに対して回転を伝えることができるように外嵌するキャップ保持部材と、前記取付けリングとキャップ保持部材を連結する可撓性の吊持部材とからなり、前記キャップ保持部材と吊持部材が相対回転可能となるよう結合されている構成を採用したものである。【００１１】  ここで、上記キャップ保持部材は、キャップに上からにきっちりと外嵌する下面開放の容器に形成され、その周壁の内面には、キャップの外周に形成されている滑り止め凹凸と係合する粗面になっている。【００１２】  上記吊持部材は、請求項１の発明と同様の条件になっているとともに、このキャップ保持部材と吊持部材の結合は、キャップ保持部材の上壁中央に設けた透孔に吊持部材の他方端部を差込み、吊持部材の他方端部に設けた拡径部で透孔に対して抜け止めとし、吊持部材に対してキャップ保持部材を回転自在とした構造になっている。【００１３】  上記取付けリングが、ボトルの口部根元部分に着脱自在となるよう、ボトルの口部根元部分に外嵌する内径の合成樹脂リングを用い、この合成樹脂リングの一箇所を切離して形成されている構造とすることができる。
【発明の効果】
【００１４】  この発明によると、ボトルの口部根元部分に外嵌する取付けリングと、キャップ又はキャップに外嵌するキャップ保持部材を可撓性の吊持部材で連結したので、開栓したキャップをボトルに保持させることができ、開栓したキャップを落としたりなくすようなことがなく、キャップを持つ必要がないので両手が塞がるという不便を解消できる。【００１５】  また、口部にキャップを螺合した状態で、取付けリングとキャップの連結部材を兼ねる吊持部材に指先をかければ、ボトルを直接手で握ることなく持ち歩くことができ、収納した飲み物が冷却されている場合の温度上昇を抑えると共に、飲み物が加温されている場合に、両手で交互に持ち替えなければならないという不便を解消することができる。【００１６】  更に、キャップと連結部材が相対回転可能となるよう結合されているので、キャップの開栓や閉栓のための回転操作が支障なく行えることになる。
【発明を実施するための最良の形態】
【００１７】  以下、この発明の実施の形態を添付図面に基づいて説明する。【００１８】  図３のように、各種飲み物を収納したペットボトル１は、螺筒状となる口部２の根元部分にフランジ３が設けられ、口部２を開閉する開栓前のキャップ４は、口部２に螺合した状態で口部２の根元側に位置する固定リング部５を薄肉厚等の可破壊接続部６を介して一体化し、未開栓が確認できると共に、キャップ４を開栓方向に回すと可破壊接続部６が破壊し、ペットボトル１に固定リング部５を残してキャップ４が離れ、口部２からキャップ４を取外すことができるような構造になっている。【００１９】  図１乃至図４に示す第１の実施の形態のキャップ装置１１は、ペットボトル１に対して予め取付けておくタイプであり、ペットボトル１の口部２の根元部分でフランジ３の下部位置に外嵌する取付けリング１２と、ペットボトル１の口部２を開閉するキャップ４と、前記取付けリング１２とキャップ４を連結する可撓性の吊持部材１３とで形成されている。【００２０】  上記取付けリング１２は、図示の場合、ペットボトル１の口部２の根元部分に着脱自在となるよう、ペットボトル１の口部２の根元部分に外嵌する内径の合成樹脂リングを用い、この合成樹脂リングの一箇所を切れ目１４で切離して形成されている構造を示したが、例えば、ペットボトル１の口部２の根元部分に対して弾力的に外嵌する樹脂やゴム等のリングを用いるようにしてもよい。【００２１】  上記吊持部材１３は、可撓性の合成樹脂を用いて帯状や線状に形成され、口部２にキャップ４を螺合した状態で、キャップ４と取付けリング１２の間においてペットボトル１の外方に弧状となって張り出し、指先を引掛けてペットボトル１を吊持することができる程度の長さを有している。【００２２】  上記吊持部材１３と取付けリング１２の結合は、図示の場合、吊持部材１３の一方端部を取付けリング１２と一体化した例を示したが、吊持部材１３と取付けリング１２を別体とし、吊持部材１３の一方端部に設けたリング部を取付けリング１２に通すようにしたり、取付けリング１２の外周に孔付の突片を設け、吊持部材１３の一方端部を突片に孔を利用して連結するようにしたり、吊持部材１３の一方端部に設けたフックを取付けリング１２に係止するような構造が採用できる。【００２３】  また、吊持部材１３とキャップ４の結合は、図示の場合、吊持部材１３の他方端部に設けたリング部１５を、キャップ４の上面に突設した有頭軸１６に強制通過させて嵌め込むことで抜け止め状に連結し、吊持部材１３に対してキャップ４を回転自在とした構造を示したが、これとは別に、図示省略したが、キャップ４の上部に空室を一体に設け、この空室の上壁中央に設けた透孔に吊持部材１３の他方端部を差込み、吊持部材１３の他方端部に設けた拡径部で透孔に対して抜け止めとした構造としてもよい。【００２４】  第１の実施の形態のキャップ装置１１は、上記のような構成であり、各種飲み物を収納したペットボトル１が開栓前のときは、図２（ａ）と図３のように、ペットボトル１の口部２の根元部分に外嵌した取付けリング１２と、口部２を閉栓するキャップ４を可撓性の吊持部材１３で連結した状態となり、飲み物の飲用に際してキャップ４��開栓方向に回すと、可破壊接続部６が破壊してキャップ４は口部２から外れるが、図２（ｂ）のように、このキャップ４は、取付けリング１２でペットボトル１に取付けられている吊持部材１３に結合されているので、結果的にペットボトル１に保持されることになり、手を離しても開栓したキャップ４が落ちるようなことがなく、キャップ４をなくすようなことがなく、キャップ４を持つ必要がないので両手が塞がるという不便を解消できる。【００２５】  また、飲み物の飲用後に飲み残しがある場合は、キャップ４を口部２に螺合して取付け、口部２を閉栓し、ペットボトル１を持ち歩く場合は、図４の如く、取付けリング１２とキャップ４を連結する吊持部材１３に指を引掛け、ペットボトル１を吊持すればよく、ペットボトル１を直接手で握る必要がないので、収納した飲み物が冷却されている場合の温度上昇を抑えると共に、飲み物が加温されている場合に、両手で交互に持ち替えるような不便を解消することができる。【００２６】  図５と図６に示す第２の実施の形態のキャップ装置１１ａは、ペットボトル１に対して完全な別部材とし、ペットボトル１側に一切の加工を必要とせずに取付けることができ、繰り返し使用ができるようにしたタイプであり、ペットボトル１の口部２の根元部分に外嵌する取付けリング１２と、ペットボトル１のキャップ４に対して回転を伝えることができるように外嵌するキャップ保持部材１７と、前記取付けリング１２とキャップ保持部材１７を連結する可撓性の吊持部材１３とで形成されている。【００２７】  上記取付けリング１２と吊持部材１３は、上述した第１の実施の形態と同様であり、上記キャップ保持部材１７は、合成樹脂を用いてキャップ４の外周壁に上からにきっちりと外嵌する下面開放の容器に形成され、その周壁の内面には、キャップ４の外周に形成されている滑り止め凹凸と係合する粗面１８になり、このキャップ保持部材１７を介してキャップ４を確実に回動させることができるようになっている。【００２８】  このキャップ保持部材１７と吊持部材１３の結合は、図５のように、キャップ保持部材１７の上壁中央に設けた透孔１９に吊持部材１３の他方端部を差込み、吊持部材１３の他方端部に設けた拡径部２０で透孔１９に対して抜け止めとし、吊持部材１３に対してキャップ保持部材１７を回転自在としたが、例えば、キャップ保持部材１７の周壁外周に回転可能にリングを取付け、このリングに吊持部材１３の他方端部を接続するような構造を採用することもできる。【００２９】  図５（ｂ）のように、キャップ保持部材１７の上面中央から吊持部材１３を引き出すようにすると、吊持部材１３は、キャップ保持部材１７の上で弧状となって取付けリング１２に向かうことになり、ペットボトル１を吊持するときに指を引っ掛けやすくなる。【００３０】  第２の実施の形態のキャップ装置１１ａは、上記のような構成であり、各種飲み物を収納した開栓前のペットボトル１に対して、吊持部材１３の一方端部を結合した取付けリング１２を、ペットボトル１の口部２の根元部分に外嵌し、吊持部材１３の他方端部に結合したキャップ保持部材１７を口部２のキャップ４に上から外嵌圧入する。【００３１】  これによって、取付けリング１２とキャップ４が可撓性の吊持部材１３で連結した状態となり、飲み物の飲用に際してキャップ保持部材１７でキャップ４を開栓方向に回すと、可破壊接続部６が破壊してキャップ４は口部２から外れるが、図６のように、このキャップ２はキャップ保持部材１７で保持され、キャップ保持部材１７は取付けリング１２でペットボトル１に取付けられている吊持部材１３に結合されているので、キャップ４は結果的にペットボトル１に保持されることになり、従って、手を離しても開栓したキャップ４が落ちるようなことがなく、キャップ４をなくすようなことがなく、キャップ４を持つ必要がないので両手が塞がるという不便を解消できる。【００３２】  また、飲み物の飲用後に飲み残しがある場合は、キャップ保持部材１７で保持されたキャップ４を口部２に螺合して取付け、口部２を閉栓し、ペットボトル１を持ち歩く場合は、が４の場合と同様に、取付けリング１２とキャップ保持部材１７を連結する吊持部材１３に指を引掛け、ペットボトル１を吊持すればよく、ペットボトル１を直接手で握る必要がないので、収納した飲み物が冷却されている場合の温度上昇を抑えると共に、飲み物が加温されている場合に、熱いので両手で交互に持ち替えるような不便を解消することができる。
【図面の簡単な説明】
【００３３】
【図１】（ａ）は第１の実施の形態のキャップ装置を示す斜視図、（ｂ）はこのキャップ装置をペットボトルに取付ける前の作業状態を示す分解斜視図
【図２】（ａ）は第１の実施の形態のキャップ装置をペットボトルに取付けた状態示す正面図、（ｂ）はキャップを開栓したときのキャップ装置の状態を示す正面図
【図３】第１の実施の形態のキャップ装置をペットボトルに取付けた状態示す開栓前の状態を拡大した縦断正面図
【図４】第１の実施の形態のキャップ装置でペットボトルを吊持した状態を示す斜視図
【図５】（ａ）は第２の実施の形態のキャップ装置をペットボトルに取付ける前の状態を示す斜視図、（ｂ）は第２の実施の形態のキャップ装置をペットボトルに取付けた状態示す縦断正面図
【図６】キャップを開栓したときのキャップ装置の状態を示す正面図
【符号の説明】
【００３４】１          ペットボトル
２          口部
３          フランジ
４          キャップ
５          固定リング部
６          可破壊接続部
１１        キャップ装置
１１ａ      キャップ装置
１２        取付けリング
１３        吊持部材
１４        切れ目
１５        リング部
１６        有頭軸
１７        キャップ保持部材
１８        粗面
１９        透孔
２０        拡径部
【図１】
2009067470.tif 000003
【図２】
2009067470.tif 000004
【図３】
2009067470.tif 000005
【図４】
2009067470.tif 000006
【図５】
2009067470.tif 000007
【図６】
2009067470.tif 000008